(57)【要約】【課題】トッププレートの開口部に掛る荷重を低減し、且つトッププレートの端面を保護し、トッププレートの割れを防止するガスコンロを提供する。【解決手段】耐熱強化ガラス製のトッププレート１０のバーナ１２ａを臨む開口部１６ａの内側面と下面の開口部１６ａ周縁はトッププレート保護部材２８によって支持されている。このトッププレート保護部材２８の下端はトッププレート支持板３０に支持されており、このトッププレート支持板３０の下端はケーシング１４の底部に固定されている。トッププレート１６の開口部１６ａの内側面とトッププレート保護部材２８の上部２８ａとの間にはシリコンコーキング４２が配されている。開口部１６ａとトッププレート保護部材２８の上部２８ａおよび水平部２８ｂを断面略コの字状に覆う支持パッキン２６が配されており、段部２６ａで汁受け２４を支持している。この汁受け２４に五徳２２が載置される。【選択図】　図３
2004093056.tif 000002
【特許請求の範囲】
【請求項１】
上方が開口したケーシングと、
ケーシングに支持されたバーナと、
ガラス製の板状部材であり、ケーシングの開口部を覆って設置され、バーナに対応する部分に開口部を有するトッププレートと、
上下に開口する略筒状部材であり、トッププレートの下面の開口部周縁を支持する水平部と、この水平部の端部から下方に連続する下部とを有するトッププレート保護部材と、
トッププレートの上面及び下面の開口部周縁と、トッププレートの開口部の内側面とを断面略コの字状に覆う支持パッキンと、
鉛直方向に伸びる板状部材であり、上端にはトッププレート保護部材が載置され、下端はケーシングの底部と接続されるトッププレート支持板とを備えることを特徴とするガスコンロ。
【請求項２】
前記トッププレート保護部材の水平部の内周縁から上方に連続してトッププレートの開口部の内側面に対向する上部を有しており、トッププレートの開口部の内側面とトッププレート保護部材の上部との間にコーキング部材が配されていることを特徴とする請求項１に記載のガスコンロ。
【発明の詳細な説明】
【０００１】
【発明の属する技術分野】本発明は、トッププレートに耐熱板を用いたガスコンロに関し、詳しくはトッププレートの割れを防止する技術に関する。
【０００２】
【従来の技術】近年、美観や手入れのしやすさからガスコンロのトッププレートにガラス製等の耐熱板が用いられる場合が増えつつある。しかしながら、ガラス製のトッププレートは鍋等によって過剰の荷重がかかるとバーナを臨む開口部近傍が撓み、開口部から割れが生じやすい。
従来のガスコンロには、トッププレートの開口部をバーナベンチュリーやバーナボディに支持させるものがある（特許文献１参照）。このような構造にすることによって開口部に掛る荷重はバーナボディ等に掛り、トッププレートの撓みを防止することができる。
【０００３】
【特許文献１】
特開平１０−１６９９１８号公報
【０００４】
【発明が解決しようとする課題】しかしながら、上記のような構造では、バーナボディ等への負担が大きく、炎口部の変形等、安全性の問題が否めない。そこで、本発明のガスコンロは、バーナボディ等に負担を掛けることなくトッププレートの開口部に掛る荷重に基づく撓みを低減し、トッププレートの割れを防止することを目的とする。
また、上記のようなトッププレートは、特に開口部の端面に衝撃を受けることによって割れやすい。輸送時に開口部の端面に他の金属部材が当たって割れてしまう不具合が生じる場合があった。そこで、本発明のガスコンロは、トッププレートの端面を保護し、トッププレートの割れを防止することを第２の目的とする。
【０００５】
【課題を解決するための手段と作用と効果】本発明のガスコンロは、上方が開口したケーシングと、ケーシングに支持されたバーナと、ガラス製の板状部材であるトッププレートを備えている。このトッププレートは、ケーシングの開口部を覆って設置され、バーナに対応する部分に開口部を有している。このガスコンロは、上下に開口する略筒状部材であり、トッププレートの下面の開口部周縁を支持する水平部と、この水平部の端部から下方に連続する下部とを有するトッププレート保護部材を備えている。また、トッププレートの上面及び下面の開口部周縁と、トッププレートの開口部の内側面とを断面略コの字状に覆う支持パッキンを備えており、鉛直方向に伸びる板状部材であり、上端にはトッププレート保護部材が載置され、下端はケーシングの底部と接続されるトッププレート支持板をも備えている。
【０００６】
このガスコンロでは、五徳に鍋等を載せたときの鍋等の荷重は、まず五徳から支持パッキンに移動する。さらにこの荷重はトッププレート保護部材に移動し、トッププレート保護部材を支持するトッププレート支持板に移動してケーシング底部に移動する。即ち、トッププレートのバーナを臨む開口部は下方から支持されており、トッププレートの開口部には鍋等の荷重は掛らず、ケーシング底部に掛る。このことによって、荷重によるトッププレートの撓みを禁止して割れを阻止することが可能となる。
【０００７】またこのガスコンロは、トッププレート保護部材の水平部の内周縁から上方に連続してトッププレートの開口部の内側面に対向する上部を有しており、トッププレートの開口部の内側面とトッププレート保護部材の上部との間にコーキング部材が配されていることが好ましい。
トッププレートがガラス板であると、開口部の端面に衝撃を受けることによって割れが発生しやすい。また、ガラス板は、バーナ加熱時に開口部が高温となって膨張して変形や歪みが起こることがあり、これによっても割れが発生しやすい。
このガスコンロによれば、トッププレートの開口部の内側面とトッププレート保護部材の上部との間にコーキング部材が配されている。このコーキングによってトッププレートの開口部の内側面を保護し、トッププレートの開口部の高温化を防止する。このことによって、割れやすい端面を保護し、トッププレートの変形や歪みを防止することができ、トッププレートの割れを防止することが可能となる。
【０００８】
【発明の実施の形態】以下、本発明の好適な実施形態を説明する。
（形態１）　トッププレートは耐熱強化ガラス製である。トッププレートにはバーナを臨む３個の開口部がある。これらの開口部の内側面と下面の開口部周縁はトッププレート保護部材によって支持されている。このトッププレート保護部材の下端はトッププレート支持板に支持されており、このトッププレートの下端はケーシングの底部に固定されている。トッププレートの開口部には、開口部とこれを支持するトッププレート保護部材の上部および水平部を断面略コの字状に覆う支持パッキンが配されており、上端で汁受けを支持している。この汁受けに五徳が載置されている。
（形態２）　トッププレートの開口部の内側面とトッププレート保護部材の上部との間にはシリコンコーキングが配されている。
【０００９】
【実施例】本発明を具現化した一の実施例を図１から図３を用いて説明する。図１は本実施例のガスコンロの外観斜視図であり、図２は同ガスコンロのトッププレートの開口部近傍の分解斜視図であり、図３は同ガスコンロの要部縦断面図である。なお、ここに示した図は本実施例の特徴を説明するためのものであり、構成部材の形状等については、実際のものとは必ずしも同様ではない。
図１に示すガスコンロ１０は、３個の大小のバーナ１２ａ，１２ｂ，１２ｃと、これらを収納するケーシング１４と、ケーシング１４の上部開口部を覆うように載置されるトッププレート１６を備えている。このガスコンロ１０はドロップインコンロであり、ケーシング１４がキッチンカウンタ（１８：図３参照）に設けられた取付け孔（１８ａ：図３参照）に落し込まれて設置され、トッププレート１６がケーシング１４の開口部とともにキッチンカウンタ１８の取付け孔１８ａを覆うように載置される（図３参照）。トッププレート１６上には３個のスイッチ２０ａ，２０ｂ，２０ｃが配されており、これらによってそれぞれバーナ１２ａ，１２ｂ，１２ｃの点火・消火動作や火力調節を行なう。
【００１０】
トッププレート１６にはバーナ１２ａ，１２ｂ，１２ｃを臨む３個の開口部１６ａ，１６ｂ，１６ｃが設けられている。このトッププレート１６の開口部１６ａ，１６ｂ，１６ｃ近傍の構成について図２、図３を用いて説明する。なお、各開口部１６ａ，１６ｂ，１６ｃ近傍の構成はほぼ同様であり、ここでは開口部１６ａ近傍の説明を以って他の開口部１６ｂ，１６ｃ近傍の説明を省略する。
図２は開口部１６ａとこの近傍を構成する主要な部材を分解斜視図によって示している。トッププレート１６の開口部１６ａ近傍には、図１中に示した五徳２２の他に、円板形状の汁受け２４と、リング状の支持パッキン２６と、略円筒形状のトッププレート保護部材２８と、鉛直に伸びる板部材のトッププレート支持板３０が配されている。
【００１１】
汁受け２４は金属製の部材であり、中央に開口部２４ａを有しており、バーナベンチュリー３２の上端が下方から差し込まれる。また、汁受け２４には開口部２４ａや同心円状の段部が形成されている。開口部２４ａが形成された段部２４ｂに連続して外側に１段低い段部２４ｃが形成され、これに連続して外側に１段高い段部２４ｄが形成され、これに連続して外側にさらに１段高い段部２４ｅが形成されている（図３参照）。外側の段部２４ｅが最も高く、内側から２番目の段部２４ｃが最も低い。五徳２２は外側から２番目の段部２４ｄに載せられる。調理中に煮こぼれした煮汁は内側の段部２４ｂに塞き止められて段部２４ｃに留まり、ケーシング１４内に侵入することはまずない。
【００１２】
支持パッキン２６はシリコン製部材であり、断面略コの字状である。この支持パッキン２６の上端に汁受け２４が載せられる。詳細については図３を用いて後述する。
トッププレート保護部材２８は金属製であり、鉛直に伸びる上部２８ａと、この上部２８ａの下端から外側へ向かって水平に伸びる水平部２８ｂと、この水平部２８ｂの外側端部から下方へ向かって鉛直に伸びる下部２８ｃと、この下部２８ｃの下端から外側へ向かって水平に伸びるフランジ２８ｄから構成されている。この詳細についても図３を用いて後述する。
トッププレート支持板３０は金属製であり、２個のトッププレート支持板３０が略Ｌ字状のバーナベンチュリー３２の鉛直部分を挟んで対向して配されている。トッププレート支持板３０の上端と下端にはそれぞれフランジ３０ａ，３０ｂが設けられている。バーナベンチュリー３２は取付け台３４にビス固定されている。取付け台３４にはフランジ３４ａが設けられており、バーナベンチュリー３２を載置する面は、このフランジ３４ａに比べて１段高く形成されている。これらの詳細についても図３を用いて後述する。
【００１３】
図３は、トッププレート１６の開口部１６ａの中心を通り、ガスコンロ１０の正面に対して平行な平面で縦断した図である。
キッチンカウンタ１８の取付け孔１８ａにはケーシング１４が落し込まれて設置されている。詳しくは、ケーシング１４の上端にフランジ１４ａが形成されており、このフランジ１４ａがキッチンカウンタ１８の取付け孔１８ａの周縁に支持された状態で設置されている。
【００１４】
トッププレート１６の外周縁は金属製のトッププレート枠３６に支持されている。詳しくは、トッププレート１６の外側面と、トッププレート１６の下面の外周縁がトッププレート枠３６に支持されている。このトッププレート枠３６はキッチンカウンタ１８の取付け孔１８ａの周縁に支持されている。
トッププレート１６は耐熱強化ガラス製であり、衝撃を受けると割れる恐れがあり、特に端面から割れやすい。このため、トッププレート１６の外側面とトッププレート枠３６との間にはシリコン製のコーキング３８が配されている。このコーキング３８は、トッププレート１６の外側面が金属製のトッププレート枠３６に直接接触しないようにし、且つトッププレート１６の水平方向の動きを吸収することによって、トッププレートの外側面を衝撃から保護する役割を持っている。また、トッププレート１６の下面の外周縁とトッププレート枠３６との間にはシリコン製のパッキン４０が配されており、トッププレート１６の下面の外周縁がトッププレート枠３６に直接接触しないようにする役割を持っている。
【００１５】
トッププレート１６の開口部１６ａ周縁は以下のように支持されている。トッププレート１６の開口部１６ａの内側面と、開口部１６ａの下面の内周縁が、トッププレート保護部材２８の上部２８ａと水平部２８ｂによって支持されている。先述のように、トッププレート１６は衝撃を受けると割れる恐れがあり、特に端面は割れやすいため、トッププレート１６の開口部１６ａの内側面とトッププレート保護部材２８の上部２８ａとの間にはシリコン製のコーキング４２が配されている。このコーキング４２は、トッププレート１６の開口部１６ａの内側面が金属製のトッププレート保護部材２８に直接接触しないようにすることによって、トッププレートの開口部１６ａの内側面を衝撃から保護する役割を持っている。また、トッププレート１６の開口部１６ａの下面の内周縁とトッププレート保護部材２８の水平部２８ｂとの間にはシリコン製のパッキン４４が配されており、トッププレート１６の開口部１６ａの下面の内周縁がトッププレート保護部材２８に直接接触しないようにする役割を持っている。
【００１６】
上記のように、トッププレート１６の開口部１６ａ周縁にはコーキング４２やパッキン４４を介してトッププレート保護部材２８が取付けられている。このトッププレート保護部材２８が取付けられたトッププレート１６の開口部１６ａの周縁を上下方向から挟むように支持パッキン２６が取付けられている。この支持パッキン２６は断面略コの字状であり、一段高く形成された段部２６ａの上端面に汁受け２４の外側の段部２４ｅが載せられる。
なお、汁受け２４の外周縁は下方に折り曲げられている。汁受け２４に五徳２２が載せられ、この五徳２２に鍋等が載せられると、荷重によって汁受け２４が支持パッキン２６の段部２６ａを下方に押す。これによって支持パッキン２６が下方に沈み、これに伴って汁受け２４も下方に沈む。このようなときに汁受け２４の外周縁がトッププレート１６に接触することのないように、汁受け２４の外周縁とトッププレート１６との間には予め隙間Ａが設けられている。
【００１７】
先述のトッププレート保護部材２８はトッププレート支持板３０に支持されている。詳しくは、トッププレート保護部材２８の下端に設けられているフランジ２８ｄがトッププレート支持板３０の上端に設けられているフランジ３０ａにビス固定されている。トッププレート支持板３０の下端に設けられているフランジ３０ｂはバーナベンチュリー３２の取付け台３４に設けられているフランジ３４ａに重ねられ、ケーシング１４の底部にビス固定されている。
【００１８】
バーナ１２ａは、バーナベンチュリー３２と、この上端に載置されるバーナボディ４６と、これに載せられるバーナヘッド４８から構成されている。バーナベンチュリー３２は取付け台３４上に設置され、バーナベンチュリー３２とケーシング１４の底部との間に空間Ｂが設けられている。バーナ１２ａの燃焼中にバーナベンチュリー３２は高温になるが、空間Ｂによってケーシング１４の底部の加熱が低減される。
【００１９】
トッププレートにはバーナを臨む開口部が設けられ、この開口部近傍には鍋等が載置される。耐熱強化ガラス製のトップレートは衝撃を受けることによって割れる可能性がある。即ち、鍋等が載置されたとき等に過度の荷重が掛れば、トッププレートは開口部から割れる可能性がある。従来品のように、トッププレートがバーナボディ等に支持されるようにすると、バーナボディ等に荷重が掛り、炎口部の変形等、安全性に問題が生じる。
本実施例のガスコンロ１０では、五徳２２に鍋等を載せた時の荷重は以下のように掛る。五徳２２に掛った荷重は五徳２２を支持する汁受け２４に移動し、汁受け２４を支持する支持パッキン２６に移動する。支持パッキン２６がある程度の荷重を吸収するが、吸収されなかった分の荷重は、トッププレート１６の開口部１６ａ周縁を支持するトッププレート保護部材２８に移動する。トッププレート保護部材２８は、その下端をトッププレート支持板３０に支持されており、荷重はトッププレート支持板３０に移動してケーシング１４底部に移動する。即ち、トッププレート１６の開口部１６ａ，１６ｂ，１６ｃは上記の部材によって下方から支持されており、トッププレート１６の開口部１６ａ，１６ｂ，１６ｃには鍋等の荷重は掛らず、ケーシング１４底部に掛る。このことによって、荷重によるトッププレート１６の撓みを防止して割れを防止することが可能となる。
【００２０】
耐熱強化ガラス製のトッププレートは、特に端面に衝撃を受けることによって割れやすい。また、バーナの加熱時に開口部が高温となって膨張し、変形や歪みが起こり、割れが生じることがある。
本実施例のガスコンロ１０では、トッププレート１６の開口部１６ａ，１６ｂ，１６ｃの内側面とトッププレート保護部材２８の上部２８ａとの間にシリコン製のコーキング４２が配されている。このコーキング４２によって、トッププレート１６の開口部１６ａ，１６ｂ，１６ｃの内側面を保護する。このことによって、割れやすい端面を保護することができ、トッププレート１６の割れを防止することが可能となる。
【００２１】
以上のことから、本発明のガスコンロは、トッププレートの開口部近傍に荷重が掛るのを防止し、トッププレートの開口部の端面を保護することによってトッププレートの割れを防止する。
【００２２】
なお、上記実施例では、トッププレート１６の外縁にトッププレート枠３６が配され、開口部１６ａの内側面はトッププレート保護部材２８の上部２８ａによって保護されていた。しかし、例えばトッププレートに厚板強化ガラスを用いた場合には、トッププレート保護部材１８の上部２８ａを廃止し、開口部１６ａの内側面を保護するために配されていたコーキング４２とパッキン４４も廃止してもよい。即ち、図４に示すように、開口部５６ａを直接支持パッキン２６で挟み、この支持パッキン２６で挟まれた開口部５６ａをトッププレート保護部材５８の水平部５８ｂに載置して支持させる。トッププレート５６の外縁はパッキン５０を介してキッチンカウンタ１８の開口部１８ａ近傍に載置される。このような構成によっても上記実施例に示した構成の場合と同様の効果を得ることができ、さらに、部品点数を削減し、作業効率を向上させることができる。
【００２３】
また、上記実施例では、支持パッキン２６上に五徳２２が載置されていた。しかし、五徳２２を直接支持パッキン２６上に載置してもよい。即ち、図５に示すように、汁受け５４の内周端５４ｂをバーナベンチュリー３２の段部３２ａ上に載置し、支持パッキン２６上には五徳２２を直接載置する。このような構成によっても上記実施例に示した構成の場合と同様の効果を得ることができる。
【００２４】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
また、本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【図面の簡単な説明】
【図１】本発明の第１実施例のガスコンロの外観斜視図。
【図２】同ガスコンロのトッププレートの開口部近傍の分解斜視図。
【図３】同ガスコンロの要部縦断面図。
【図４】本発明の第２実施例のガスコンロの要部縦断面図。
【図５】本発明の第３実施例のガスコンロの要部縦断面図。
【符号の説明】
１０：ガスコンロ
１２ａ，１２ｂ，１２ｃ：バーナ
１４：ケーシング
１６：トッププレート、１６ａ，１６ｂ，１６ｃ：開口部
１８：キッチンカウンタ、１８ａ：取付け孔
２０ａ，２０ｂ，２０ｃ：スイッチ
２２：五徳
２４：汁受け、２４ａ：開口部、２４ｂ，２４ｃ，２４ｄ，２４ｅ：段部
２６：支持パッキン、２６ａ：段部
２８：トッププレート保護部材、２８ａ：上部、２８ｂ：水平部、２８ｃ：下部、２８ｄ：フランジ
３０：トッププレート支持板、３０ａ，３０ｂ：フランジ
３２：バーナベンチュリー、３２ａ：段部
３４：取付け台、３４ａ：フランジ
３６：トッププレート枠
３８：コーキング
４０：パッキン
４２：コーキング
４４：パッキン
４６：バーナボディ
４８：バーナヘッド
５０：パッキン
５４：汁受け、５４ａ：開口部、５４ｂ：内周端
５６：トッププレート、開口部５６ａ
５８：トッププレート保護部材、５８ｂ：水平部、５８ｃ：下部、５８ｄ：フランジ
【図１】
2004093056.tif 000003
【図２】
2004093056.tif 000004
【図３】
2004093056.tif 000005
【図４】
2004093056.tif 000006
【図５】
2004093056.tif 000007